(57)【要約】【課題】シャッタスピードを変更することによって得られる画像の差異を予測表示し、撮影者の思いを反映した、雰囲気豊かな写真をきれいに撮影することができるカメラを提供することである。【解決手段】撮影時に、被写体３０からの像信号を所定時間露光して撮像素子１４によって撮像信号を得る。上記所定の露光時間の切り替えはキリンエス一致により行われる。そして、上記撮影に先立って、撮像素子１４の出力信号を上記所定の露光時間より短い露光時間で所定の時間間隔で繰り返し入力し、撮像素子１４の出力の時間的な変化を画像判定部１８で検出する。また、この変化検出結果より、上記被写体の撮影に際して得られる画像を、画像処理部及び効果予測部１７ａで予測して表示部２１に表示する。【選択図】      図１
2008035422.tif 000002
【特許請求の範囲】
【請求項１】
撮影時に、被写体からの像信号を、所定時間露光して撮像信号を得る撮像手段と、
上記所定の露光時間の切り替えを行う切り替え手段と、
上記撮影に先立って、上記撮像手段の出力信号を、上記所定の露光時間より短い露光時間で所定の時間間隔で繰り返し入力し、上記撮像手段の出力の時間的な変化を検出する画像変化検出手段と、
上記変化検出結果より、上記被写体の撮影に際して得られる画像を予測して表示する加工表示手段と、
を具備することを特徴とするカメラ。
【請求項２】
上記画像変化検出手段は、上記被写体の時間変化に応じて、上記時間変化検出の時間間隔を切り替えることを特徴とする請求項１に記載のカメラ。
【請求項３】
撮影時に、被写体からの像信号を、所定の露光時間だけ露光して撮像信号を得る撮像手段と、
上記所定の露光時間の切り替えを行う切り替え手段と、
上記撮影に先立って、上記撮像手段の出力信号を、上記所定の露光時間より短い露光時間で所定の時間間隔で繰り返し入力し、上記撮像手段の出力の時間的な変化を検出する画像変化検出手段と、
上記変化検出結果より、上記被写体の撮影に際して得られる画像を予測して加工する予測手段と、
上記予測手段によって予測される画像を表示する表示手段と、
を具備することを特徴とするカメラ。
【請求項４】
上記画像変化検出手段は、上記被写体の時間変化に応じて、上記時間変化検出の時間間隔を切り替えることを特徴とする請求項３に記載のカメラ。
【請求項５】
上記撮像手段の出力から得られる画像と、上記予測手段で加工された予測画像を同時に上記表示手段に表示させるマルチ画像制御手段を更に具備することを特徴とする請求項４に記載のカメラ。
【請求項６】
撮影時に被写体からの像信号を所定の時間露光して撮像信号に変換する撮像手段と、上記所定の時間露光する露光時間の切り替えを行う切り替え手段と、該撮像手段で変換された撮像信号に基づいて上記被写体の画像を表示する表示手段と、を備えたカメラに於いて、
上記撮影に先立つタイミングで、上記撮像手段で変換された撮像信号を、上記所定の露光時間より短い露光時間で所定の時間間隔で繰り返し入力し、上記撮像信号の時間的な変化を検出する画像変化検出手段と、
上記画像変化検出手段で検出された時間的変化に基づいて上記被写体の撮影に際して得られる画像を予測する予測手段と、
上記予測手段によって予測される画像を上記表示手段に表示させるよう制御する表示制御手段と、
を具備することを特徴とするカメラ。
【請求項７】
上記画像変化検出手段は、上記被写体の時間変化に応じて、上記時間変化検出の時間間隔を切り替えることを特徴とする請求項６に記載のカメラ。
【請求項８】
上記表示制御手段は、上記撮像手段の出力から得られる画像と、上記予測手段で加工された予測画像を同時に上記表示手段に表示させることを特徴とする請求項６に記載のカメラ。
【発明の詳細な説明】
【技術分野】
【０００１】
本発明は、シャッタスピードを切り替えて画像記録するカメラに関するものである。
【背景技術】
【０００２】
一般に、写真撮影法として、シャッタスピードや絞り制御を切り替えること（マニュアル撮影を行うこと）によって、レンズの効果を変えたり、動いているものを表現する効果を変えたりして、画像の表現を調節する方法が知られていた。フィルムを使用したカメラでは、現像やプリントしてからでなければ結果がわからなかったために、なかなかこのような切り替えによる効果の違いを習得しにくいものであった。
【０００３】
ところが、近年、デジタル化が進展し、レンズのぼけや被写界深度に関しては、カメラ背面等に設けられた液晶などで簡単に効果確認が可能となった。また、マニュアル撮影時には露出量が必ずしも適正にならないことから、その露出が好ましいかどうかを表示する方法が提案されている（例えば、特許文献１参照）。
【特許文献１】特開２００４−９６３９２号公報
【発明の開示】
【発明が解決しようとする課題】
【０００４】
しかしながら、上記特許文献１による撮影方法では、露出がオーバかアンダーかの問題は分かっても、シャッタスピードによる画像の変化はわからないという問題を有している。
【０００５】
したがって本発明は上記実情に鑑みてなされたものであり、その目的は、デジタルカメラならではの画像処理機能を有効利用して、シャッタスピードを変化させたときに、撮影時に生じる画像の効果を予め目視可能とし、それを確認しながら、ユーザの意図を正しく再現した写真を撮影することのできるカメラを提供することである。
【課題を解決するための手段】
【０００６】
すなわち請求項１に記載の発明は、撮影時に、被写体からの像信号を、所定時間露光して撮像信号を得る撮像手段と、上記所定の露光時間の切り替えを行う切り替え手段と、上記撮影に先立って、上記撮像手段の出力信号を、上記所定の露光時間より短い露光時間で所定の時間間隔で繰り返し入力し、上記撮像手段の出力の時間的な変化を検出する画像変化検出手段と、上記変化検出結果より、上記被写体の撮影に際して得られる画像を予測して表示する加工表示手段と、を具備することを特徴とする。
【０００７】
請求項２に記載の発明は、請求項１に記載の発明に於いて、上記画像変化検出手段は、上記被写体の時間変化に応じて、上記時間変化検出の時間間隔を切り替えることを特徴とする。
【０００８】
請求項３に記載の発明は、撮影時に、被写体からの像信号を、所定の露光時間だけ露光して撮像信号を得る撮像手段と、上記所定の露光時間の切り替えを行う切り替え手段と、上記撮影に先立って、上記撮像手段の出力信号を、上記所定の露光時間より短い露光時間で所定の時間間隔で繰り返し入力し、上記撮像手段の出力の時間的な変化を検出する画像変化検出手段と、上記変化検出結果より、上記被写体の撮影に際して得られる画像を予測して加工する予測手段と、上記予測手段によって予測される画像を表示する表示手段と、を具備することを特徴とする。
【０００９】
請求項４に記載の発明は、請求項３に記載の発明に於いて、上記画像変化検出手段は、上記被写体の時間変化に応じて、上記時間変化検出の時間間隔を切り替えることを特徴とする。
【００１０】
請求項５に記載の発明は、請求項４に記載の発明に於いて、上記撮像手段の出力から得られる画像と、上記予測手段で加工された予測画像を同時に上記表示手段に表示させるマルチ画像制御手段を更に具備することを特徴とする。
【００１１】
請求項６に記載の発明は、撮影時に被写体からの像信号を所定の時間露光して撮像信号に変換する撮像手段と、上記所定の時間露光する露光時間の切り替えを行う切り替え手段と、該撮像手段で変換された撮像信号に基づいて上記被写体の画像を表示する表示手段と、を備えたカメラに於いて、上記撮影に先立つタイミングで、上記撮像手段で変換された撮像信号を、上記所定の露光時間より短い露光時間で所定の時間間隔で繰り返し入力し、上記撮像信号の時間的な変化を検出する画像変化検出手段と、上記画像変化検出手段で検出された時間的変化に基づいて上記被写体の撮影に際して得られる画像を予測する予測手段と、上記予測手段によって予測される画像を上記表示手段に表示させるよう制御する表示制御手段と、を具備することを特徴とする。
【００１２】
請求項７に記載の発明は、請求項６に記載の発明に於いて、上記画像変化検出手段は、上記被写体の時間変化に応じて、上記時間変化検出の時間間隔を切り替えることを特徴とする。
【００１３】
請求項８に記載の発明は、請求項６に記載の発明に於いて、上記表示制御手段は、上記撮像手段の出力から得られる画像と、上記予測手段で加工された予測画像を同時に上記表示手段に表示させることを特徴とする。
【発明の効果】
【００１４】
本発明によれば、デジタルカメラならではの画像処理機能を有効利用して、シャッタスピードを変化させたときに、撮影時に生じる画像の効果を予め目視可能とし、それを確認しながら、ユーザの意図を正しく再現した写真を撮影することのできるカメラを提供することができる。
【発明を実施するための最良の形態】
【００１５】
以下、図面を参照して、本発明の実施形態を説明する。
【００１６】
図１は、本発明の一実施形態に係るデジタルカメラの基本構成を示したブロック図である。このデジタルカメラ（以下、カメラと略記する）は、メインＣＰＵ（以下、ＭＰＵと記す）１０と、ズーム制御部１１と、ズームレンズ（撮影レンズ）１３と、撮像素子１４と、アナログフロントエンド部（ＡＦＥ）１５と、画像処理部１７と、画像判定部１８と、表示制御部２０と、表示部２１と、圧縮部２３と、記録制御部２４と、記録メディア２５と、出力部２６と、補助光発光部２７と、複数のスイッチ２８ａ、２８ｂ、２８ｃとを有して構成される。
【００１７】
切り替え手段、画像変化検出手段としての機能を有するＭＰＵ１０はマイクロコントローラ等から構成されるもので、ユーザによる各種の操作をスイッチ２８ａ、２８ｂ、２８ｃの状態によって検出する。ＭＰＵ１０は、上記スイッチ２８ａ、２８ｂ、２８ｃの検出結果と所定のプログラムに従って状態を判定し、撮影時に上述した各ブロックをシーケンシャルに制御する。これらのスイッチ２８ａ、２８ｂ、２８ｃの操作に従って、撮影／再生のモード切り替えや撮影モードの切り替え等も行えるようになっている。また、ズーミングの操作も、このように構成されたスイッチをユーザが操作することを、ＭＰＵ１０が検知して実行する。このズーム制御用の釦（図示せず）等も備えておき、ズームレンズ１３をズーム制御部１１で制御し、レンズでの被写体拡大ができない場合には、撮像素子１４の中から像を取り出すエリアを、ＭＰＵ１０が限定する制御をＡＦＥ１５に実行させて、部分画像を全画像として表示、記録することでズームの延長とする。
【００１８】
尚、スイッチ２８ａ〜２８ｃは、電源のオン、オフを行う電源スイッチ（２８ａ）や、レリーズ操作を行うためのレリーズスイッチ（２８ｂ）、撮影と再生、シャッタスピードの切り替えやその他のスイッチ（２８ｃ）の機能を有しており、ユーザの操作を入力するものである。
【００１９】
被写体３０からの像は、ズームレンズ１３を介して多数の受光面（画素）から成るＣＭＯＳセンサやＣＣＤ等で構成される撮像素子１４で受光される。撮像素子１４では、これが電気的な信号に変換される。そして、この結果がＡ／Ｄ変換部を含むＡＦＥ１５にてデジタル信号化され、更に画像処理部１７に入力される。
【００２０】
また、ＡＦＥ１５は、撮像素子１４の出力する信号を取捨選択する機能を有しており、全部の受光面から限られた範囲の画像データや、間引かれた画素データのみを抽出することができる。この制御によって、所定の領域のみの画像を記録すれば、いわゆるトリミングと同様の効果を出すことができる。画面に入ってくる全てのものを、必ずしも撮影したくない場合には、このような工夫が有効である。
【００２１】
また、撮像素子１４は、無数の画素から構成されるが、幾つかの同色の画素信号を加算して利用することによって、Ｓ／Ｎを改善することが可能である。このような出力加算処理も、ＡＦＥ１５にて可能である。
【００２２】
画像処理部１７は、入力信号の色や階調やシャープネスを補正処理するもので、撮影時には、後段の圧縮部２３にて圧縮記録を行う。また、画像処理部１７の信号を利用して、撮像素子１４から入力されてくる画像の特徴等を判定する画像判定部１８等が、このシステムには含まれている。後述するが、逆光シーン等、補助的な光を照射した方が良いシーン等を判定して、しかるべき制御を行う場合等にこの機能の出力を参照する。また、本発明の特徴たる、被写体の動きの検出等も行うようになっている。更に、この画像処理部１７内には、後述するように、シャッタスピード等の効果を予測する効果予測部１７ａを有している。
【００２３】
画像処理部１７から出力された信号は、圧縮部２３によって圧縮される。圧縮部２３内には、ＪＰＥＧコア部等の静止画像用圧縮部２３ａ（図１には圧縮Ｓと示される）、またはＭＰＥＧ４やＨ．２６４等の圧縮用コア部で構成される動画用圧縮部２３ｂ（図１には圧縮Ｍと示される）を有している。
【００２４】
この圧縮部２３で圧縮された画像信号は、記録制御部２４を介して記録メディア２５に記録される。そして、ここで記録されたデータは、出力部２６によって、図示されないパーソナルコンピュータ等を介して、ホームページやブログ等のサービスにアップロード可能である。こうした用途を前提にした画像は、撮影時から、それに相応しい撮影方法をとっておき、掲載時に所定の効果が得られるような工夫をしておく。そして、記録メディア２５に記録された圧縮データは、画像処理部１７によって伸張されて再生されるが、この結果は表示制御部２０を介して表示部２１にて鑑賞することが可能になっている。また、この表示部２１は液晶や有機ＥＬ等から成るもので、カメラのファィンダの機能を兼用している。
【００２５】
上記画像処理部１７は、また、図示されないがリサイズ回路を有している。このリサイズ回路は、表示制御部２０によって制御される表示部２１に、撮像素子１４からの信号を表示できるようなサイズに加工してリアルタイムに入力する。
【００２６】
上記表示制御部２０には、マルチ画像制御部２０ａを有している。画面を単一の画像表示にのみ使用するのではなく、複数画像の表示に利用する場合には、このマルチ画像制御部２０ａを利用して、表示部２１の表示パネルに複数の画像を表示可能としている。これは、例えば、奇数番目に入力された画像を画面の左側に、偶数番目に入力された画像信号を画面の右側に表示するような制御を司るものである。
【００２７】
補助光発光部２７では、撮影状況に応じて、被写体３０に光を照射して、明るさの不足や、不均一な明るさを防止するようにしている。例えば、川の流れを表現する写真にて、ユーザがシャッタスピードを切り替え操作し、適正露出を絞りの制御で行うカメラの場合、シャッタスピードを遅く設定すれば、水の流れが糸のように伸びた描写が可能になる。反対に、シャッタスピードを速く設定すれば、その瞬間が捉えられて、水しぶきが上がった出間や、さざ波の様子を細かく再現することが可能になる。
【００２８】
このように、画像が時間的にどう変化するかは、高速で画像取得した結果を比較して判断することができる。単純化した図で示すと、図２（ａ）に示されるように、複数の画素が並んでいる場合に、このうちの１つの画素がｔ１のタイミングで水しぶきのように白く表されるとする。そして、次のタイミング（△ｔ経過後）で、図２（ｂ）に示されるように、この白点がシフトした画像が得られれば、動きの方向（図示矢印Ａの方向）や量（△ｐｉｃ）を判定することができる。これは、画像判定部１８によって判定される。
【００２９】
そして、ｔ１のタイミングと、ｔ１＋△ｔのタイミングで得られた画像から、ｔ１のタイミングから２×△ｔだけ経過した間、露光させた場合には、図２（ｃ）に示されるような画像が得られることが予測される。このような方法で、実際の露光時間より短い露光時間で得られた各画像から、指定された露光期間で得られるであろう画像を推測することが可能である。
【００３０】
これには、例えば、図３に示されるようなタイミングチャートに於いて、図３（ａ）に示されるように、△ｔのタイミング間隔で繰り返し撮像を行い、その２つのタイミングで得られた画像の差異を、図３（ｂ）に示されるタイミングで検出し、続く図３（ｃ）に示されるタイミングでその差異と、実際の露光時間（Ｔｅ）とから、次のような考え方による画像加工を行えばよい。
【００３１】
（１）△ｔの間に所定量以上変化している画素群を検出。  
（２）その変化量、△ｐｉｃを検出する。  
（３）その画素群部分をその画素の色で塗りつぶす。その範囲は、  
△ｐｉｃ×Ｔｅ／△ｔ                                      …（１）  
である。  
（４）変化していない画素部分は（３）の処理を行わない。  
（５）これを表示する。  
（６）これを（１）から繰り返す。
【００３２】
このように、上記（１）〜（６）を繰り返して表示するので、この時の表示画像は動画としての応答性やフレーム／秒の値が低くなってしまう。しかしながら、例えば、１秒間にこのサイクルを１５回繰り返せるような高速撮像及び読み出しができるような素子を利用すれば、自然なライブビュー表示が可能となる。
【００３３】
また、動きがゆっくりとした被写体であれば、あまりに高速の画像読み出しでは、変化画素の検出ができなくなる可能性がある。例えば、図４に示されるように、図４（ａ）に示されるＴ＝ｔ１のタイミングから、図４（ｂ）に示されるような△ｔ経過したｔ２のタイミングになっても画素の変化がない場合であっても、図４（ｃ）に示されるような次の△ｔが経過したｔ３のタイミングでは、変化（図示矢印Ｂの方向への変化）を判定することができることがある。
【００３４】
このように変化がゆっくりとした被写体でも、露出時間が長くなれば、特殊な効果の写真撮影を行うことができる。特に、高速の読み出しが可能な撮像素子（イメージャ）を利用する場合、イメージャの画像更新スピードが速すぎて正しい動きの検出ができない場合がある。このような場合、図４（ａ）に示されるｔ１のタイミングと、図４（ｃ）に示されるｔ３のタイミングで得られた画像から、ｔ１〜ｔ３の間に露光が行われた場合、図４（ｄ）に示されるように、白点が流れたような映像となる。（但し、露出はオーバにならないよう、絞りや感度によって制御している。）
このような比較的ゆっくりとした動きに対しては、図５に示されるようなタイミングチャートに従い、撮像結果を毎回利用するのではなく、１回おきに利用するなどして、差異の検出方法を工夫して、動いた画素の動きを強調した画像加工を行った表示を行えばよい。尚、図２及び図４に於いてはＴのタイミングを横方向で説明しているが、これに限られるものではない。
【００３５】
また、こうして複数の画像を利用して画像加工する表示方法では、必ず表示に遅れが生じるので、リアルタイムな表示と、この加工画像の表示を、図６に示されるように、並べて表示してもよい。つまり、この図６の例では、液晶パネル３５に表示する画像を３５ａと３５ｂの複数画像とし、画像３５ａにはリアルタイム表示を、画像３５ｂには効果表示を行って、ユーザが最適なタイミングや構図、効果を判定できるようにしている。この場合、リアルタイム表示で撮影タイミングを決定し、効果表示でシャッタスピードの効果を予測して確認する。これらの効果予測は、画像処理部１７内の効果予測部１７ａにて処理が行われる。
【００３６】
次に、図７のフローチャートを参照して、このような構成のカメラの制御動作について説明する。尚、このフローチャートによる処理動作は、主にＭＰＵ１０の指令に従って行われる。
【００３７】
電源スイッチ２８ａがオンされることにより本ルーチンが開始され、先ず、ステップＳ１に於いてユーザによる撮影の操作が行われたか否かが判定される。ここで、撮影の操作が行われた場合はステップＳ２へ移行し、そうでない場合はステップＳ７へ移行する。
【００３８】
ステップＳ２では、補助光発光を伴う撮影か伴わない撮影かが判定される。ここで、補助光発光が行われる場合は、ステップＳ３に移行して、補助光発光部２７によるパルス投光を伴う撮影が行われる。これは、液晶でのモニタ時に比べると大きな光量で瞬間的に発光して終了し、発熱を抑えて破壊を予防するものである。一方、補助光の発光が無いならば、ステップＳ４に移行して、シャッタスピードや絞り、感度等を最適化させた制御での撮影が行われる。
【００３９】
次いで、ステップＳ５にて、上記ステップＳ３またはＳ４で撮影された画像が圧縮され、続くステップＳ６にて記録メディア２５に記録される。その後、上記ステップＳ１に移行して、以降の処理動作が繰り返される。
【００４０】
一方、上記ステップＳ１にて撮影の操作が行われていないと判定された場合は、ステップＳ７に於いて、再生モードであるか否かが判定される。ここで、図示されないモードスイッチ等が使用されてユーザにより再生モードに設定されている場合は、ステップＳ８に移行して再生表示が行われる。これは、撮影結果からユーザによって選択されたものが液晶等の表示パネル（表示部２１）に再生表示される。更に、ステップＳ９に於いて、転送したい画像があるか否かが判定される。その結果、転送する画像がある場合、すなわち、スイッチ２８ｃ等によって当該画像が指定されれば、ステップＳ１０に移行する。そして、出力部２６を介して、外部の図示されないパーソナルコンピュータ等に、指定された画像が転送される。
【００４１】
また、上記ステップＳ９にて転送画像がない場合、及びステップＳ１０にて画像転送した後は、上記ステップＳ７に移行する。
【００４２】
上記ステップＳ７にて、再生モードでないと判定された場合は、次にステップＳ１１に於いて電源スイッチ２８ａの状態が判定される。ここで、電源スイッチ２８がオフの場合は、電源をオフにする制御が行われる。一方、それ以外の場合は、ステップＳ１２に移行して、撮像処理が行われる。尚、特に記述はしていないが高速でこれが繰り返される。
【００４３】
次いで、ステップＳ１３では、ユーザにより設定されたシャッタスピードＳ等がＭＰＵ１０に読み込まれて、上述したように、先に繰り返し撮像された結果と露光時間の割合から画像加工ができるようにする。
【００４４】
そして、ステップＳ１４に於いて、２回の撮像の結果に差異があるか否か、または、シャッタスピードが短いか否かが判定される。この何れかの条件が満たされた場合には、ステップＳ１５に移行して隣接タイミングの撮像結果の差異が利用された予測が、効果予測部１７ａにて行われる。一方、上記ステップＳ１４に於ける条件が満たされない場合には、上記（１）式の結果が大きくなりすぎないように、ステップＳ１６にて、間欲したタイミングの像の差が利用された予測が、効果予測部１７ａにて行われる。予測の誤差を小さくするためにも、上記（１）式の分母△ｔは、表示画像の連続性が確保できる範囲で、大きめにした方がよい。
【００４５】
このように、ステップＳ１３にて得られたシャッタスピードＴが利用されて、上記ステップＳ１５またはＳ１６での複数画像取得の結果から、上述した撮影時に像が流れて広がる様子が、ステップＳ１８にて予測される。続いて、ステップＳ１９に於いて、画像処理にて効果が視覚的に表示される。
【００４６】
この結果は、マルチ画面表示し、発光無し画像と比較して、補助光の効果を確認できるようにしてもよい。この場合、ステップＳ２０に於いて、マルチ画面表示の有無が判定される。ここで、マルチ画面の表示がなされる場合は、ステップＳ２１に移行して、図６に示されるような、画像３５ａ及び３５ｂによるマルチ画面の表示がなされる。一方、マルチ画面の表示が無い場合は、ステップＳ２３に移行して、マルチ画面表示が解除されて通常表示がなされる。
【００４７】
このように、本実施形態によれば、シャッタスピードを変更することによって得られる画像の差異を予測表示し、撮影者の思いを反映した、雰囲気豊かな写真をきれいに撮影することができるカメラを提供することが可能となる。
【００４８】
また、本発明の他の実施形態として、例えば、一眼レフレックスカメラ（以下、単に一眼レフカメラと略記する）のように、撮影用の撮像素子への光路と、ファインダ用の光路が分けられているカメラにも応用することができる。
【００４９】
図８は、このような一眼レフカメラの概略構成を示したブロック図である。
【００５０】
図８に於いて、被写体３０の像は、撮影レンズ１３を介してメインの撮像素子１４ａ（撮影時に画像を記録メディア２５に記録するためのセンサ）に入射し、ここで取り込まれた像が記録部４５に記録される。この時、反射ミラー４０は、図示されないが撮影光路外に退避する。反射ミラー４０が図示のような状態では、反射された被写体像は、ペンタプリズム４１を介して接眼レンズ系４２に導かれ、ユーザにより目視可能となっている。
【００５１】
このような構成にする理由は、撮像素子１４ａが大型、且つ高画素であり、高速な読み出しができないからである。メインの撮像素子１４ａ以外に、ペンタプリズム４１内で結像した画像をモニタするサブの撮像素子１４ｂを利用すれば、撮影前に画像モニタが可能となる。この表示部４３用の撮像素子１４ｂに高速のものを利用すれば、本発明のような撮影効果やプレビュー可能な一眼レフカメラを提供することが可能となる。つまり、２つの撮像素子の特性の差異や、モニタ時と撮影時の発光の差異を考慮して、表示画像を加工し、ユーザは撮影時の効果を撮影前にリアルタイムで目視可能となる。
【００５２】
つまり、本実施形態では、撮影前の複数の撮像結果と撮影時の設定されたシャッタスピードの差、撮影前の撮像素子及び光学系と、撮影後の撮像素子及び光学系の差異を考慮して、表示画像を強調等、加工して表示制御するので、非常に高画質で、レンズ交換可能なカメラでありながら、シャッタスピード優先撮影等、露出制御の効果をモニタ上で確認し、十分予測、把握した撮影が可能となる。
【００５３】
以上、本発明の実施形態について説明したが、本発明は上述した実施形態に限定されるものではなく、本発明の要旨を逸脱しない範囲で種々の変形実施が可能であるのは勿論である。
【００５４】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５５】
【図１】本発明の一実施形態に係るデジタルカメラの基本構成を示したブロック図である。
【図２】画像が時間的にどう変化するかについて説明するための図である。
【図３】実際の露光時間より短い露光時間で得られた各画像から、指定された露光期間で得られるであろう画像を推測するための動作を説明するためのタイミングチャートである。
【図４】動きがゆっくりとした被写体の場合の画像が時間的にどう変化するかについて説明するための図である。
【図５】動きがゆっくりとした被写体の場合の撮像素子とＬＥＤとモニタ表示の動作タイミングを説明するためのタイミングチャートである。
【図６】液晶パネル３５に表示する画像３５ａ及び３５ｂの例を示した図である。
【図７】本発明の一実施形態に於けるカメラの動作を説明するためのフローチャートである。
【図８】本発明の他の実施形態としての一眼レフカメラの概略構成を示したブロック図である。
【符号の説明】
【００５６】
１０…メインＣＰＵ（ＭＰＵ）、１１…ズーム制御部、１３…ズームレンズ（撮影レンズ）、１４…撮像素子、１５…アナログフロントエンド部（ＡＦＥ）、１７…画像処理部、１７ａ…効果予測部、１８…画像判定部、２０…表示制御部、２０ａ…マルチ画像制御部、２１…表示部、２３…圧縮部、２３ａ…静止画像用圧縮部（圧縮Ｓ）、２３ｂ…動画用圧縮部（圧縮Ｍ）、２４…記録制御部、２５…記録メディア、２７…補助光発光部、２６…出力部、２８ａ、２８ｂ、２８ｃ…複数のスイッチ、３０…被写体、３５…カメラ。
【図１】
2008035422.tif 000003
【図２】
2008035422.tif 000004
【図３】
2008035422.tif 000005
【図４】
2008035422.tif 000006
【図５】
2008035422.tif 000007
【図６】
2008035422.tif 000008
【図７】
2008035422.tif 000009
【図８】
2008035422.tif 000010